(57)【要約】【課題】  桜桃の苗木を短期間で育成することを可能とし、またさくらんぼを育成することができる小さな鉢植えの木として提供できる花芽付き桜桃矮化苗木の育成方法を提供する。【解決手段】  桜桃の台木に穂木を接木した根無しの苗木を、育苗培地に挿し木し、前記苗木２２を前記育苗培地により1年間養成した後、苗木２２を翌年鉢１２に植え替えて、苗木の生育中に、先端の新梢以外の横枝はすべて摘芯して、新梢や横枝に花芽３０、３２を形成させ、花芽付き桜桃矮化苗木を育成する。【選択図】          図２
2007195509.tif 000002
【特許請求の範囲】
【請求項１】
桜桃の台木に穂木を接木した根無しの苗木を、育苗培地に挿し木し、
前記苗木を前記育苗培地により、1年間養成することを特徴とする桜桃の苗木の育成方法。
【請求項２】
請求項１記載の方法により育成した桜桃の苗木を翌年鉢に植え替えて、苗木の生育中に、先端の新梢以外の横枝はすべて摘芯して、新梢や横枝に花芽を形成させ、花芽付きの桜桃矮化苗木とすることを特徴とする花芽付き桜桃矮化苗木の育成方法。
【発明の詳細な説明】
【技術分野】
【０００１】
本発明は、苗木の育成から桜桃（さくらんぼ）を収穫するまでの期間を短縮し、３号〜５号程度の小さな鉢による桜桃の栽培を可能にする、桜桃の苗木の育成方法および花芽付き桜桃矮化苗木の育成方法に関する。
【背景技術】
【０００２】
従来の桜桃の苗木の育成方法は、苗木用の台木を露地で挿し木して１年間養成し、この１年間養成した台木に翌年、穂木を接木し、地植えによって養成して苗木とするものである。この苗木の育成方法では、挿し木により露地で養成した台木をいったん掘り上げ、大きな直根等を切り取った後に接木して苗木を養成する。したがって、接木苗には細根が多く発生し、大きくて見栄えのよい苗木が生産できることから、従来はほとんどこの方法によって苗木が生産されている。
【０００３】
しかしながら、この苗木の育成方法による場合は、苗木が大きく生長するものの、桜桃が結実するまでには何年もかかるため、短期間で桜桃を収穫することができないという問題と、苗木が大きく生長するために鉢栽培には適さないという問題があった。
本出願人は、このような問題を解消する方法として、桜桃の台木を鉢植えして早期に桜桃（さくらんぼ）を収穫可能とする栽培方法を提案した（特許文献１参照）。この栽培方法は、挿し木によって養成した桜桃の台木を鉢に植え替え、台木に接木して鉢で苗木を育成して桜桃を収穫できるようにする方法である。この方法は鉢で苗木を育成することによって苗木を生殖生長へ移行させ結実を促進させて早期に桜桃を収穫することを可能にするものである。
【特許文献１】特開２００２−６５０５９号公報
【発明の開示】
【発明が解決しようとする課題】
【０００４】
先の鉢植えによって苗木を育成する方法の場合には、台木を挿し木して養成するために１年間必要であり、養成した台木を鉢に植え替え、接木してから３年目に桜桃を収穫する。このように、従来の鉢植えによって桜桃の苗木を育成する方法の場合は、台木の養成から桜桃（さくらんぼ）を収穫するまでに４年かかる。この鉢植えによる方法は、一般に行われている地植えによる桜桃の苗木による栽培方法とくらべると、４〜５年程度も早く桜桃が収穫できるという利点があるが、桜桃を収穫できる時期（年数）をさらに早めることができれば桜桃の収穫効率を高めることができ、また、苗木の矮化を進めることで一般家庭等でも取り扱うことが可能になる。
【０００５】
本発明は、これらの課題を解決すべくなされたものであり、桜桃の苗木を短期間で育成することを可能として苗木の育成効率を向上させ、また、苗木の矮化を促進させることによって、小さな鉢植えの木として一般家庭においても容易に取り扱うことができ、また簡単に桜桃（さくらんぼ）を栽培することができる桜桃の苗木の育成方法および花芽付き桜桃矮化苗木の育成方法を提供することを目的とする。
【課題を解決するための手段】
【０００６】
本発明は、上記目的を達成するため、次の構成を備える。
すなわち、桜桃の台木に穂木を接木した根無しの苗木を、育苗培地に挿し木し、前記苗木を前記育苗培地により、1年間養成することを特徴とする。なお、前記穂木としては１芽〜２芽の葉芽がついているものを使用する。また、穂木を台木に接木した後、１か月程度冷蔵した後に挿し木すると穂木と台木とが活着して確実に接木することができる。
【０００７】
また、前記方法により育成した桜桃の苗木を翌年鉢に植え替えて、苗木の生育中に、先端の新梢以外の横枝はすべて摘芯して、新梢や横枝に花芽を形成させ、花芽付きの桜桃矮化苗木とすることを特徴とする。この花芽付きの苗木は鉢植えあるいは地植えにより翌年開花してさくらんぼを収穫することができる苗木として提供される。
【発明の効果】
【０００８】
本発明に係る桜桃の苗木の育成方法および花芽付き桜桃矮化苗木の育成方法によれば、桜桃の台木に穂木を接木した根無しの苗木を挿し木によって育成する方法によることで、挿し木により苗木を育成開始してから３年目で桜桃（さくらんぼ）を収穫することが可能となり、桜桃を収穫するまでの期間を従来の鉢植えによる方法にくらべて１年間、短縮することができる。また、育苗培地で挿し木して苗木を育成し、３年目で結実できる苗木として提供することにより、苗木が矮化され、小さな鉢植えの苗木として提供できる。この鉢植えの苗木は一般家庭で桜桃（さくらんぼ）を収穫できる好適な鉢植え商品として提供することができる。
【発明を実施するための最良の形態】
【０００９】
以下、本発明の好適な実施の形態について、図面とともに詳細に説明する。
（苗木の育成  1年目）
本発明に係る桜桃の苗木の矮化育成方法では、桜桃の台木に穂木を接木した根無しの苗木を育苗培地に挿し木して養成開始する。図１（ａ）は、育苗容器としての育苗ポット１０に、台木２０に穂木２２を接木した苗木を直接挿し木した状態を示す。台木２０には青葉台等の桜桃専用の台木を使用する。穂木２２には、花芽のない１〜２芽の葉芽のみの一年枝を用いる。一年枝は前年にのびた枝の部分で、桜桃の木から切ってきて使用する。
【００１０】
台木２０には一年枝を接木するから、台木を養成してから接木する従来方法の花芽接ぎのように二年枝や三年枝を接木する場合にくらべて容易に接木でき活着率も高くなる。
接木する時期は、露地栽培の木が休眠期間を経過した後の春である。休眠期間とは、果樹を結実させる際に、果樹を一定の温度以下で一定の日数（時間）経過させる期間である。桜桃はこの休眠期間を経過させないと実を結ばない。露地栽培の桜桃では、長野県が桜桃を安定栽培できる南限である。暖地では冬期でも休眠に必要な温度以下に一定期間下がらないため、必要な休眠期間を得ることができない。これが暖地で桜桃が栽培できない理由である。
休眠期間が経過した後の木から穂木２２を切って接木する。休眠あけしていない木から穂木２２を切り取って接木した場合は、葉芽が充実していないため芽ふきが悪くなる。
【００１１】
なお、台木２０に穂木２２を接木した後、接木した状態で冷蔵庫で１か月程度冷蔵してから育苗容器に挿し木して養成する方法も有効である。台木２０に穂木２２を接木して１か月程度冷蔵すると、台木２０と穂木２２とが活着して、挿し木をしたときの失敗が少なくなる。冷蔵庫の冷蔵温度は５℃程度とする。接木した根無し苗木を冷蔵することによって、所要の休眠期間が確保でき、早めに挿し木できるようになるという利点もある。
【００１２】
なお、育苗ポット１０に苗木を挿し木して苗木を育成する際には、穂木２２が早めに動き始めないようにして育成開始する。このため、冷気環境下で苗木を育成開始し、育苗ポット１０をビニールで覆って台木２０を冷気から保護しながら育成するとよい。ハウスで育苗する場合は、育苗ポット１０に挿し木して３か月程度してから、露地に移して育苗ポットのまま育成する。
【００１３】
図１（ｂ）は、育苗ポット１０に穂木２２を接木した台木２０を挿し木した状態で秋まで育成した状態を示す。台木２０から根が伸長し、穂木２２が伸長して、多数の葉芽ができた状態になる。
こうして、桜桃の接木を挿し木して１年間養成した桜桃の苗木が得られる。
なお、本実施形態では育苗容器として育苗ポット１０を使用して接木を育成したが、育苗ポットの他に別の育苗容器を使用することも可能である。
【００１４】
（苗木の育成  ２年目）
図２は、苗木を育成する２年目の状態を示す。２年目には、１年間育成した苗木を育苗容器から取り出して鉢に植え替えする。図２（ａ）は、２年目の春に、鉢１２に苗木を植え替えた状態を示す。台木２０と穂木２２とは一体に接合された状態になる。鉢１２に植え替えてから、苗木に５〜６芽の葉芽を残して苗木の先端部分２２ａを剪定する。
【００１５】
図２（ｂ）は、図２（ａ）の状態から、鉢１２で苗木を育成して秋になった状態を示す。苗木の根２０ａからたくさんの根が伸びてくる。鉢１２で苗木を育成する理由は、根が伸長する領域（範囲）を鉢１２によって抑制することにより、苗木が生殖生長に移るようにさせるためである。
春から秋に苗木を生長させる際には、新梢部分２２ｂのみを伸ばして横枝を摘芯してしまう。伸びた新梢部分２２ｂは冬に先端を剪定する。伸びた新梢部分２２ｂの基部から３つの芽が花芽３０となる。新梢部分２２ｂを剪定する位置は、３つの花芽３０の上に１〜２芽残した位置とする。
苗木２２であった部分の芽は花芽と葉芽が集合したクラスター３２となる。図２（ｂ）では５個程度クラスター３２が形成された様子を示す。
【００１６】
こうして、挿し木してから２年目で、図２（ｂ）の状態、すなわち鉢植えの状態でクラスター３２と花芽３０がついた花芽付きの桜桃の矮化苗木が得られる。この花芽付きの桜桃の苗木はこのまま鉢植えの状態あるいは地植えして翌年に桜桃（さくらんぼ）を収穫することができる苗木となる。
【００１７】
（桜桃の栽培  ３年目）
図３は、苗木を育成して３年目の状態を示す。図３（ａ）は、３年目の春の状態で、クラスター３２と花芽３０が形成されている様子を示す。この鉢植えの木をハウスあるいは露地で生育させ、開花させて受粉させることによってさくらんぼの実を結ばせることができる。
ハウスで栽培するか露地で生育させるかによって異なるが、開花した後、２か月でさくらんぼが完熟する。図３（ｂ）は、桜桃の木にさくらんぼ４０の実がなった状態を示す。一つのクラスターには花芽が５個位あり、一つのクラスターで２０個程度開花して３〜５個結実する。一鉢全体としては、花芽が２０個くらいあるから全部で３０個程度さくらんぼが結実する。
図３（ｂ）に示すように、さくらんぼ４０はクラスター３２が形成されている箇所と、木の先端側で花芽３０が形成された箇所につく。
【００１８】
こうして、育苗培地に桜桃の穂木を接木した台木を挿し木してから３年目でさくらんぼを収穫することができる。
さくらんぼ栽培においては、図３（ａ）に示すような鉢植えの桜桃の苗木をたくさん用意しておき、開花させて結実させることによって、さくらんぼを収穫することができる。３年目でさくらんぼを収穫した後は、木を生育させた後、図２（ｂ）で剪定したと同様に、新梢部分を剪定し、翌年の開花に備えるようにすればよい。
鉢植えによる場合は、ハウス栽培が容易であり、露地栽培よりも早期にさくらんぼを提供できるという利点がある。
【００１９】
図２（ｂ）に示す鉢植えの状態で開花、結実させてさくらんぼを収穫する方法とは別に、図２（ｂ）の状態から３年目に苗木を地植えし、地植えの状態で開花、結実させてさくらんぼを収穫することも可能である。いったん生殖生長の性質を得た木は、翌年からも毎年結実するから、結実させるさくらんぼの量を徐々に増やしながらさくらんぼを収穫するようにする。
【００２０】
本発明に係る桜桃の苗木の育成方法および花芽付き桜桃矮化苗木の育成方法において特徴とする点は、台木に桜桃の穂木を接木した苗木を、育苗培地にじかに挿し木して育成開始することにある。本発明方法によれば、苗木を挿し木して育成開始したときから３年目で桜桃（さくらんぼ）を収穫することができ、従来の鉢植えによる栽培方法とくらべてさくらんぼを収穫するまで期間を１年間、短縮することができる。
また、接木した苗木を挿し木して育成することにより、従来の鉢植えによって育成した場合と比較して木を矮化させることができ、３号（径7.5cm）〜５号（径15cm）といった小さな鉢で桜桃の木を育成することができる。この結果、桜桃の木を鉢植えしたミニ鉢として提供することができ、一般家庭でも簡単にさくらんぼを育てることができる鉢植え商品として提供するといったことが可能になる。
【図面の簡単な説明】
【００２１】
【図１】台木に穂木を接木して育苗ポットに挿し木した春の状態（ａ）と、秋の状態（ｂ）を示す説明図である。
【図２】鉢に苗木を植え替えた後の春の状態（ａ）と、秋の状態を示す説明図である。
【図３】３年目の春の状態（ａ）とさくらんぼが結実した状態（ｂ）を示す説明図である。
【符号の説明】
【００２２】
１０  育苗ポット
１２  鉢
２０  台木
２２  穂木（苗木）
３０  花芽
３２  クラスター
４０  さくらんぼ
【図１】
2007195509.tif 000003
【図２】
2007195509.tif 000004
【図３】
2007195509.tif 000005